(57)【特許請求の範囲】
【請求項１】
ブレーカを取付パネルに固定するためのブレーカ取付構造であって、
前記取付パネルに、ねじ及び合成樹脂製のピンを挿通可能な挿通孔を設ける一方、
前記ブレーカに、前記ねじ及びピンを挿入可能な挿入孔を設け、
前記ねじ又はピンのいずれでも、前記ブレーカの挿入孔から前記取付パネルの挿通孔まで挿通させて前記ブレーカを前記取付パネルに固定可能とするとともに、
前記ピン側に設けられた係合部と、前記ブレーカ側に設けられた被係合部とからなる保持機構を設け、
該保持機構により、前記ピンを前記挿通孔まで挿通した挿通状態で保持可能としたことを特徴とするブレーカ取付構造。
【請求項２】
ピンにＬ字状の係合片を設け、該係合片を前記ピンと共にブレーカの挿入孔内に挿入可能とし、
前記係合片に係合凸部を設ける一方、前記挿入孔内に前記係合凸部と係合可能な係合凹部を設けたことを特徴とする請求項１に記載のブレーカ取付構造。
【請求項３】
ピンを、取付パネルの挿通孔まで挿通させない状態で、ブレーカの挿入孔内にて仮保持可能な仮保持機構を設けたことを特徴とする請求項１又は２に記載のブレーカ取付構造。
【請求項４】
ブレーカに係止片を設ける一方、取付パネルに前記係止片が嵌入可能な係止孔を設け、前記係止片を前記係止孔に嵌入させた状態で前記ブレーカを一方向へとスライドさせることにより前記ブレーカを前記取付パネルに対して係止可能とし、該係止状態にてピン又はねじによる固定を可能としたことを特徴とする請求項１〜３のいずれかに記載のブレーカ取付構造。
【発明の詳細な説明】
【技術分野】
【０００１】
本発明は、分電盤内に装着するブレーカの取付構造に関する。
【背景技術】
【０００２】
従来より、分電盤内においてブレーカを取付パネルへと固定するにあたっては、ねじを用いてブレーカを取付パネルに螺着する構造や、専用の弾性部材を利用して取り付ける構造が採用されている。また、ブレーカの一次側（電源接続側）がプラグ状に形成されているものにあっては、たとえば特許文献１に記載されているように、弾性を有する合成樹脂製の取付部材を用いてブレーカを取付パネルに取り付ける構造が一般的に採用されている。
【０００３】
【特許文献１】特開２００１−３２７００９号公報
【０００４】
ここで、従来のブレーカ取付構造について、図４及び５に基づき説明する。
図４（ａ）は、ねじ３５を利用した取付構造を示す説明図であって、ブレーカ３１の基部には係止凹部３２、３２が設けられている。一方、取付パネル３３には、ブレーカ３１の係止凹部３２、３２に係止する鉤状の係止爪３４、３４が突設されている。そして、各係止爪３４を係止凹部３２に係止させた状態で、一方の係止爪３４をねじ３５により締着することによってブレーカ３１を取付パネル３３に固定する。
尚、ねじを利用する取付構造としては、ブレーカにねじ孔を有する取付片を設け、該取付片を取付パネルに螺着してブレーカを固定するような構造もある。
【０００５】
図４（ｂ）は、専用の弾性部材３６を利用した取付構造を示す説明図であって、取付パネル３３に設けられる一方の係止爪３４を係止凸部を有する弾性部材３６としている。したがって、ブレーカ３１を上方から挿入すれば、弾性部材３６の係止凸部とブレーカ３１の係止凹部３２とが係止し、ブレーカ３１が取付パネル３３に固定される。
【０００６】
図５は、合成樹脂製の取付部材４８を利用した取付構造を示す説明図である。
ブレーカ４１の前面側には、嵌合凸部４２が一体的に突設されており、背面側には、係止凹部（図示せず）が設けられている。一方、取付パネル４３には、係止凹部に係止する鉤状の係止爪４４が一体的に突設されている。また、取付パネル４３の前端面には後述する取付部材４８を挿入可能な切り欠き４５が設けられており、該切り欠き４５には挿入された取付部材４８を保持する保持片４６、４６が下方へと突設されている。さらに、切り欠き４５の後方には、係止突起４７が下方へと突設されている。
【０００７】
取付部材４８は、弾性を有する合成樹脂により形成されたものであって、その先端には係止突起４７と係止する係止部４９が設けられており、基端にはブレーカ４１の嵌合凸部４２が嵌合可能な嵌合凹部５０が設けられている。
そして、ブレーカ４１の係止凹部に取付パネル４３の係止爪４４を係止させた状態で、切り欠き４５に取付部材４８を挿入する。そして、嵌合凸部４２を嵌合凹部５０に嵌合させるとともに、係止突起４７と係止部４９とを係止させて、ブレーカ４１を取付パネル４３に固定する。
【発明の開示】
【発明が解決しようとする課題】
【０００８】
しかしながら、ねじを利用してブレーカを取り付けるとなると、ねじの締め付け等に手間や時間がかかり、組立費のコストアップ等につながる。特に、分岐ブレーカのように回路数が多い場合は尚更である。
また、弾性部材を利用するとなると、取付パネルに対するブレーカの取り付け作業は簡単になるものの、取付パネルに専用の弾性部材を設置しなければならない。したがって、部品点数の増加や弾性部材の設置に係る手間等からコストアップとなる。さらに、専用の取付部材を用いるとなると、弾性部材を利用する場合と同様、部品点数の増加といった問題が生じる上、取付パネルに対して煩雑な加工を施さなければならない等といったように更なるコストアップが要求されることになる。加えて、合成樹脂製の取付部材に設けられた係止部とブレーカに設けられた係止突起との係止等によりブレーカを固定するため、ブレーカの取り付け後にガタつきが発生しやすいといった問題も抱えている。
【０００９】
そこで、本発明は、上記問題を解決すべくなされたものであって、ブレーカを簡単且つ確実に固定することができる上、コスト面においても有利なブレーカ取付構造を提供しようとするものである。
【課題を解決するための手段】
【００１０】
上記目的を達成するために、本発明のうち請求項１に記載の発明は、ブレーカを取付パネルに固定するためのブレーカ取付構造であって、前記取付パネルに、ねじ及び合成樹脂製のピンを挿通可能な挿通孔を設ける一方、前記ブレーカに、前記ねじ及びピンを挿入可能な挿入孔を設け、前記ねじ又はピンのいずれでも、前記ブレーカの挿入孔から前記取付パネルの挿通孔まで挿通させて前記ブレーカを前記取付パネルに固定可能とするとともに、前記ピン側に設けられた係合部と、前記ブレーカ側に設けられた被係合部とからなる保持機構を設け、該保持機構により、前記ピンを前記挿通孔まで挿通した挿通状態で保持可能としたことを特徴とする。
請求項２に記載の発明は、請求項１の発明において、ピンにＬ字状の係合片を設け、該係合片を前記ピンと共にブレーカの挿入孔内に挿入可能とし、前記係合片に係合凸部を設ける一方、前記挿入孔内に前記係合凸部と係合可能な係合凹部を設けたことを特徴とする。
請求項３に記載の発明は、請求項１又は２の発明において、ピンを、取付パネルの挿通孔まで挿通させない状態で、ブレーカの挿入孔内にて仮保持可能な仮保持機構を設けたことを特徴とする。
請求項４に記載の発明は、請求項１〜３のいずれかの発明において、ブレーカに係止片を設ける一方、取付パネルに前記係止片が嵌入可能な係止孔を設け、前記係止片を前記係止孔に嵌入させた状態で前記ブレーカを一方向へとスライドさせることにより前記ブレーカを前記取付パネルに対して係止可能とし、該係止状態にてピン又はねじによる固定を可能としたことを特徴とする。
【発明の効果】
【００１１】
本発明によれば、合成樹脂製のピンを、ブレーカの挿入孔から取付パネルの挿通孔を貫通するまで挿通させることによって、ブレーカを取付パネル上に固定する。したがって、取付パネルに対してブレーカを確実に固定することができる。一方、ブレーカを取り外したい場合には、ピンを挿通孔に挿通しない状態となるまで引き上げればよい。このように、ピンを押し込んだり引き上げたりするだけで、ブレーカの固定及び取り外しを行うことができ、組立作業等にかかる負担を減らすことができる。
また、取付パネルに対して特殊な加工等を施さなくてよい（最低限、挿通孔が穿設されていればよい）。したがって、簡単な設備で取付パネルを製造することができ、製造コストも低く抑えることができる。
加えて、仮にピンによる固定ではブレーカにガタつきが発生した場合等には、ピンに代えてねじを挿入孔へと挿入して固定することができる。このようにフックピン及びねじのどちらでも利用可能とすることで、取付パネルに複数のブレーカを固定する際に、その内の一部をねじによる固定とするような場合であっても、該当部分の取付パネルをねじ専用のものに交換する必要等がない。したがって、極めて汎用性に富んでいる上、ブレーカの固定にかかる手間やコストを抑えることができる。
また、ピンに設けた係合片と、ブレーカに設けた係合部とにからなる保持機構を備えているため、該保持機構によりピンを挿通状態にて保持することができ、より確実にブレーカを取付パネルに固定することができる。またさらに、ピンを挿通状態にて保持するための別途部材等を用いる必要がなく、部品点数の削減や使い勝手の向上等といった効果を奏することができる。
さらに、請求項２の発明によれば、ピンにＬ字状の係合片を設け、該係合片を前記ピンと共にブレーカの挿入孔内に挿入可能とし、係合片に係合凸部を設ける一方、挿入孔内に係合凸部と係合可能な係合凹部を設けている。したがって、挿入孔内にて前方へと付勢された係合片によって、係合凸部と係合凹部との係合状態をより確実に保持することができ、ブレーカをガタつかせることなく確実に固定することができる。
さらにまた、請求項３の発明によれば、ピンを、取付パネルの挿通孔まで挿通させない状態で、ブレーカの挿入孔内にて仮保持可能な仮保持機構を設けている。したがって、ブレーカを取付パネルに固定する前や、取付パネルから一旦取り外して固定位置を変更する際等に、仮保持機構によってフックピンを挿入孔内に保持しておけば、フックピンの紛失を防止することができ、ひいては組立作業を更にスムーズに行えるようになる。
加えて、請求項４の発明によれば、ブレーカに係止片を設ける一方、取付パネルに係止片が嵌入可能な係止孔を設け、係止片を係止孔に嵌入させた状態でブレーカを一方向へとスライドさせることによりブレーカを取付パネルに対して係止可能とし、該係止状態にてピン又はねじによる固定を可能としているため、取付パネルに対するブレーカの固定を極めて確実なものとすることができる。
【発明を実施するための最良の形態】
【００１２】
以下、本発明の一実施形態となるブレーカ取付構造について図面を基に説明する。
【００１３】
図１（ａ）は、フックピン３を用いてブレーカ１を取付パネル２に取り付ける様子を示す説明斜視図であり、図１（ｂ）は、フックピン３によりブレーカ１を取り付けた状態を示す説明斜視図である。また、図２は、フックピン３によりブレーカ１が取付パネル２に取り付けられた状態を示す説明断面図である。尚、ブレーカ１のフックピン３挿通側を、ブレーカ１の前側として説明する。
【００１４】
ブレーカ１は、後面に一次側接続端子４ａ、４ａ・・を、前面に二次側（電線接続側）接続端子４ｂ、４ｂを備えたものであって、その前面下部には後述するフックピン３を挿入可能な挿入孔６を有する固定部５が一体的に設けられている。挿入孔６は、固定部５においてその上面から下面まで貫通するように設けられており、フックピン３を保持するための保持機構（後述する）を備えた保持部７と、該保持部７よりも小径に形成されフックピン３の先端が挿入される小径部８とからなる。
【００１５】
図２に示されているように、挿入孔６の保持部７内面前方側には、挿入孔６内にてフックピン３を一時的に仮止めする際にフックピン３の係合凸部１５と係合する第二係合凹部（仮保持機構）９ｂと、フックピン３によりブレーカ１を固定する際に係合凸部１５と係合する第一係合凹部（保持機構）９ａとが設けられている。尚、第二係合凹部９ｂは、フックピン３の係合凸部１５が係合した際に、フックピン３の先端部１３がブレーカ１の底面よりも下方へと突出しない（本実施例では、小径部８を貫通しない）ような位置に設けられている。また、第一係合凹部９ａは、第二係合凹部９ｂよりも下方位置に設けられている。
【００１６】
また、ブレーカ１の底面には、後方へと折れ曲がるように形成されたフック状の係止片１０、１０が一体的に突設されている。尚、係止片１０は、ブレーカ１の底面において、その前部と後部とにそれぞれ一つずつ設けられている。
【００１７】
一方、フックピン３は、合成樹脂により形成されたものであって、扁平で幅広に形成された頭部１１を備えた基部１２と、小径部８と略同径に形成された先端部１３とからなる。基部１２には、先端前面に係合凸部１５を有するＬ字状の係合片（保持機構）１４が前方へと突出するように設けられている。尚、係合片１４は、その前後方向で弾性を有する。
【００１８】
他方、取付パネル２は、薄板状に形成された金属板であって、ブレーカ１の底面に設けられた係止片１０、１０を嵌入可能な一対の係止孔１６、１６が穿設されている。また、後述の如くしてブレーカ１の係止片１０、１０を係止孔１６、１６に係止させた状態において、ブレーカ１の挿入孔６に対応する位置には、フックピン３の先端部１３が挿通可能な挿通孔１７が穿設されている。このような一対の係止孔１６、１６及び挿通孔１７を一組としたブレーカ１の取付機構は、取付パネル２の左右方向に複数組設けられている。
尚、２０は、電源に接続された銅バーである。
【００１９】
ここで、ブレーカ１を取付パネル２に取り付ける方法について説明する。
まず、ブレーカ１の係止片１０、１０を取付パネル２の所定の係止孔１６、１６に嵌入させるとともに、該嵌入状態にてブレーカ１を後方へとスライドさせ、各係止片１０を係止孔１６に係止させる。該係止により、挿入孔６と挿通孔１７とが対応するように位置決めされる。そこで、フックピン３を挿入孔６へと上方から挿入し、フックピン３の先端部１３が挿通孔１７を挿通するまで押し込めば、ブレーカ１の取付パネル２上での前後方向へのスライド移動がロックされ、ブレーカ１は所定位置にて固定される。尚、該固定状態（すなわち、フックピン３の先端部１３が挿通孔１７を挿通した状態）において、フックピン３の係止凸部１５は挿入孔６内の第一係合凹部９ａと係合した状態で保持されている。また、該保持状態において係止片１４は前方へと付勢された状態となっている。
【００２０】
一方、ブレーカ１を取付パネル２から取り外したい場合や、取付パネル２上でブレーカ１の設置位置を変更したい場合には、フックピン３を、係合凸部１５が第二係合凹部９ｂに係合するまで上方へと引き上げれば良い。該状態においては、フックピン３の先端部１３が挿入孔６の小径部８を貫通していない（取付パネル２の挿通孔１７を挿通していない）ため、ブレーカ１は取付パネル２上を前後方向にスライド移動可能となる。そこで、ブレーカ１を前方へとスライドさせてブレーカ１の係止片１０、１０と取付パネル２の係止孔１６、１６との係止状態を解除すれば、ブレーカ１を取り外すことができる。再び設置したい場合には、係止片１０、１０と所望の位置にある係止孔１６、１６とを係止させるとともに、フックピン３を係合凸部１５と第一係合凹部９ａとが係合するまで押し込めば、再びブレーカ１を取付パネル２に固定することができる。
【００２１】
また、仮にフックピン３による固定では取り付けたブレーカ１にガタつきが発生する場合等には、図３に示す如く、フックピン３に代えてねじ２１を挿入孔６へと挿入し、ねじ２１を用いた螺着によりブレーカ１を取付パネル２に固定することも可能である。
【００２２】
以上のようなブレーカ１の取付構造によれば、フックピン３を、ブレーカ１の挿入孔６から取付パネル２の挿通孔１７を貫通するまで挿通させるとともに、該挿通状態にて係合凸部１５と第一係合凹部９ａとを係合させてフックピン３を保持することによって、ブレーカ１を取付パネル２上に固定する。したがって、取付パネル２に対してブレーカ１を確実に固定することができる。
また、フックピン３を押し込んだり引き上げたりするだけで、ブレーカ１の固定及び取り外しを行うことができるため、組立作業等にかかる負担を減らすことができる。
【００２３】
さらに、挿入孔６内には、係合凸部１５と係合した際にフックピン３の先端部１３がブレーカ１の底面よりも下方へと突出しない（挿通孔１７を挿通しない）位置に、第二係合凹部９ｂが設けられている。したがって、ブレーカ１を取付パネル２に固定する前や、取付パネル２から一旦取り外して固定位置を変更する際等に、フックピン３の係合凸部１５を第二係合凹部９ｂに係合させておけば、フックピン３の紛失を防止することができ、ひいては組立作業を更にスムーズに行えるようになる。
またさらに、フックピン３の係合片１４は、挿入孔６内にて前方へと付勢された状態となっている。したがって、係合凸部１５と第一係合凹部９ａとの係合状態をより確実に保持することができ、ブレーカ１をガタつかせることなく確実に固定することができる。
【００２４】
さらにまた、ブレーカ１の底面に設けられた係止片１０、１０を、取付パネル２に設けられた係止孔１６、１６に嵌入させ、該嵌入状態にてブレーカ１を後方へとスライドさせれば、ブレーカ１を係止状態にて所定の位置に設置することができる。したがって、取付パネル２に対するブレーカ１の固定を極めて確実なものとすることができる。
また、係止片１０、１０による係止により、ブレーカ１の挿入孔６と取付パネル２の挿通孔１７とが自然と対応する位置に位置決めされるため、組立作業を極めてスムーズに行うことができる。
【００２５】
さらに、取付パネル２は、金属板に係止孔１６、１６及び挿通孔１７を穿設するだけで構成可能であるため、簡単な設備で取付パネル２を製造することができ、製造コストも低く抑えることができる。
加えて、仮にフックピン３による固定ではブレーカ１にガタつきが発生した場合、フックピン３に代えてねじ２１を挿入孔６へと挿入して固定することができる。このようにフックピン３及びねじ２１のどちらでも選択して利用可能とすることで、取付パネル２に複数のブレーカを固定する際に、その内の一部をねじ２１による固定とするような場合であっても、該当部分の取付パネル２をねじ専用のものに交換する必要等がない。したがって、極めて汎用性に富んでいる上、ブレーカ１の固定にかかる手間やコストを抑えることができる。
【００２６】
なお、本発明のブレーカ取付構造に係る構成は、上記実施形態の態様に何ら限定されるものではなく、本発明の趣旨を逸脱しない範囲で、必要に応じて適宜変更することができる。
【００２７】
たとえば、上記実施の形態では、一次側がプラグ形式（銅バーを挟むように一次側接続端子を差し込む形式）であるため、挿入孔を有する固定部を銅バー等の邪魔とならないよう二次側接続端子側に設けているが、固定部の位置は適宜変更可能であるし、２箇所以上の固定部を設けるように構成しても何ら問題はない。
また、上記実施の形態では、係合片に凸部を、挿入孔内に凹部をそれぞれ設けているが、その構成に何ら限定されることはなく、係合片に凹部を設ける構成であってもよいし、挿入孔外部に凹部や凸部等を設けることも当然可能である。加えて、凸部と凹部との係合ではなく、挿入孔とは別に穿設された係合孔への係合片の嵌入や、係合片同士による係合等、フックピンの保持機構は適宜変更することができる。
【００２８】
さらに、ブレーカの底面に設けた係止片の数も当然変更可能であるし、取付パネルにブレーカを位置決めするような凸部・突片を（必要であれば、ブレーカ側に凹部を）設けるようにしてもよい。さらにまた、フックピンやねじによる固定のみで十分な場合には、係止片等の構成を設けなくともよい。
【図面の簡単な説明】
【００２９】
【図１】（ａ）は、フックピンを用いてブレーカを取付パネルに取り付ける様子を示す説明斜視図であり、（ｂ）は、フックピンによりブレーカを取り付けた状態を示す説明斜視図である。
【図２】フックピンによりブレーカが取付パネルに取り付けられた状態を示す説明断面図である。
【図３】（ａ）は、ねじを用いてブレーカを取付パネルに取り付ける様子を示す説明斜視図であり、（ｂ）は、ねじによりブレーカを取り付けた状態を示す説明斜視図である。
【図４】（ａ）は、ねじを利用した取付構造を示す説明図であり、（ｂ）は、専用の弾性部材を利用した取付構造を示す説明図である。
【図５】合成樹脂製の取付部材を利用した取付構造を示す説明図である。
【符号の説明】
【００３０】
１・・ブレーカ、２・・取付パネル、３・・フックピン、４ａ・・一次側接続端子、４ｂ・・二次側接続端子、５・・固定部、６・・挿入孔、７・・保持部、８・・小径部、９ａ・・第一係合凹部、９ｂ・・第二係合凹部、１０・・係止片、１１・・頭部、１２・・基部、１３・・先端部、１４・・係合片、１５・・係合凸部、１６・・係止孔、１７・・挿通孔、２０・・銅バー、２１・・ねじ。
【図１】
0004723321.tif 000002
【図２】
0004723321.tif 000003
【図３】
0004723321.tif 000004
【図４】
0004723321.tif 000005
【図５】
0004723321.tif 000006